(57)【要約】【課題】熱の透過率を変更可能にした調光装置、調光窓、および、調光システムを提供する。【解決手段】赤外光を透過する液晶シート１１であって、可視光の散乱または吸収による不透明状態と、可視光の透過による透明状態とを切り替える液晶シート１１と、赤外光および可視光を反射可能に構成されたＥＣシート１２であって、赤外光および可視光の反射による不透明状態と、可視光および赤外光の透過による透明状態とを切り替えるＥＣシート１２と、を備え、液晶シート１１と対向する位置から見て、ＥＣシート１２が液晶シート１１に重なる。【選択図】図１
2020060608.tif 000002
【特許請求の範囲】
【請求項１】
赤外光を透過する第１調光シートであって、可視光の散乱または吸収による不透明状態と、可視光の透過による透明状態とを、前記第１調光シートに対する印加電圧の変更で切り替える前記第１調光シートと、
赤外光および可視光を反射可能に構成された第２調光シートであって、赤外光および可視光の反射による不透明状態と、可視光および赤外光の透過による透明状態とを、前記第２調光シートに対する印加電圧の変更で切り替える前記第２調光シートと、を備え、
前記第１調光シートと対向する位置から見て、前記第２調光シートが前記第１調光シートに重なる
調光装置。
【請求項２】
前記第１調光シートは、液晶分子を含む液晶層と、前記液晶層の厚さ方向において前記液晶層を挟む一対の透明電極層と、を備え、
前記第２調光シートは、金属を含むエレクトロクロミック材料を含む電解質層と、前記電解質層の厚さ方向において、前記電解質層を挟む一対の透明電極層と、を備える
請求項１に記載の調光装置。
【請求項３】
前記第１調光シートと前記第２調光シートとに共通する直流定電圧電源と、
前記直流定電圧電源の出力電圧を前記第１調光シートに対する印加電圧に変換する第１変換部と、
前記直流定電圧電源の出力電圧を前記第２調光シートに対する印加電圧に変換する第２変換部と、をさらに備える
請求項１または２に記載の調光装置。
【請求項４】
透過窓と、
請求項１から３のいずれか一項に記載の調光装置と、を備える調光窓であって、
前記第１調光シートおよび前記第２調光シートが調光部を構成し、
前記調光部は、前記第２調光シートが前記不透明状態である場合に、前記調光部が設置される空間を、赤外光の強度が高い空間と、赤外光の強度が低い空間とに区切り、
前記第２調光シートは、前記第１調光シートよりも赤外光の強度が高い側に位置するように前記透過窓に支持される
調光窓。
【請求項５】
透過窓と、
請求項２に記載の調光装置と、を備える調光窓であって、
前記第１調光シートおよび前記第２調光シートが調光部を構成し、
前記調光部は、前記第２調光シートが前記不透明状態である場合に、前記調光部が設置される空間を、赤外光の強度が高い空間と、赤外光の強度が低い空間とに区切り、
前記第２調光シートは、前記第１調光シートよりも赤外光の強度が高い側に位置するように前記透過窓に支持され、
前記第２調光シートが備える前記一対の透明電極層は、前記第２調光シートが不透明状態である場合に、前記エレクトロクロミック材料が析出する析出面を有する第１透明電極層と、第２透明電極層とから構成され、
前記第１調光シートの厚さ方向において、前記第１透明電極層と前記第１調光シートとが、前記電解質層と前記第２透明電極層とを挟む
調光窓。
【請求項６】
電気機器と、
請求項１から３のいずれか一項に記載の調光装置と、を備える調光システムであって、
前記調光装置は、前記第１調光シートに対する印加電圧の変更と、前記第２調光シートに対する印加電圧の変更と、を制御する制御部を備え、
前記電気機器は、前記制御部との通信が可能に構成され、
前記制御部は、前記電気機器における駆動状態の変更を受けて、前記第１調光シートに対する電圧の印加状態、および、前記第２調光シートに対する電圧の印加状態を変える
調光システム。
【発明の詳細な説明】
【技術分野】
【０００１】
本発明は、調光装置、調光装置を備える調光窓、および、調光装置を備える調光システムに関する。
【背景技術】
【０００２】
調光装置は、調光シートと駆動部とを備えている。調光シートは、液晶分子を含む調光層と、調光層の厚さ方向において調光層を挟む一対の透明電極層とを備えている。駆動部は、一対の透明電極層間に駆動電圧を印加する状態と、一対の透明電極間に駆動電圧を印加しない状態とを切り替える。一対の透明電極層間に駆動電圧が印加されているか否かに応じて、調光シートは、調光シートに入射した可視光を透過する透明状態と、可視光を散乱する散乱状態とを有する（例えば、特許文献１を参照）。
【先行技術文献】
【特許文献】
【０００３】
【特許文献１】特開２０１５−２１５４１７号公報
【発明の概要】
【発明が解決しようとする課題】
【０００４】
ところで、調光装置には、透明状態と散乱状態とを有することによって、調光装置を透過する可視光の透過率を切り替える機能に加えて、調光装置を透過する熱の透過率を切り替える機能を有することが求められている。なお、こうした要請は、可視光を透過する状態と可視光を散乱する状態とを有する調光シートに限らず、可視光を透過する状態と可視光を吸収する状態とを有する調光シートにおいても共通する。
本発明は、熱の透過率を変更可能にした調光装置、調光窓、および、調光システムを提供することを目的とする。
【課題を解決するための手段】
【０００５】
上記課題を解決するための調光装置は、赤外光を透過する第１調光シートであって、可視光の散乱または吸収による不透明状態と、可視光の透過による透明状態とを、前記第１調光シートに対する印加電圧の変更で切り替える前記第１調光シートと、赤外光および可視光を反射可能に構成された第２調光シートであって、赤外光および可視光の反射による不透明状態と、可視光および赤外光の透過による透明状態とを、前記第２調光シートに対する印加電圧の変更で切り替える前記第２調光シートと、を備える。前記第１調光シートと対向する位置から見て、前記第２調光シートが前記第１調光シートに重なる。
【０００６】
上記構成によれば、第２調光シートが不透明状態であることによって、第２調光シートに入射した可視光および赤外光を、第２調光シートによって反射することができる。また、第２調光シートが透明状態であり、かつ、第１調光シートが透明状態であることによって、第１調光シートおよび第２調光シートから構成される調光部に入射した入射光に調光部を透過させることができる。これにより、調光部を透過する熱の透過率を変更することができる。
【０００７】
上記調光装置において、前記第１調光シートは、液晶分子を含む液晶層と、前記液晶層の厚さ方向において前記液晶層を挟む一対の透明電極層と、を備え、前記第２調光シートは、金属を含むエレクトロクロミック材料を含む電解質層と、前記電解質層の厚さ方向において、前記電解質層を挟む一対の透明電極層と、を備えてもよい。
【０００８】
上記構成によれば、第１調光シートにおける光学的な状態変化の応答性を、第２調光シートにおける状態変化の応答性よりも高めることができる。そのため、調光部が第２調光シートのみを備える場合よりも短い時間で、調光部における可視光の透過率を変更することができる。
【０００９】
上記調光装置において、前記第１調光シートと前記第２調光シートとに共通する直流定電圧電源と、前記直流定電圧電源の出力電圧を前記第１調光シートに対する印加電圧に変換する第１変換部と、前記直流定電圧電源の出力電圧を前記第２調光シートに対する印加電圧に変換する第２変換部と、をさらに備えてもよい。
【００１０】
上記構成によれば、１つの直流定電圧電源を用いて、第１調光シートの駆動電圧と第２調光シートの駆動電圧とを生成することができる。そのため、調光装置が、各調光シートに対して各別の電源を備える場合に比べて、調光装置を簡素化することができる。
【００１１】
上記課題を解決するための調光窓は、透過窓と、上記調光装置と、を備える。前記第１調光シートおよび前記第２調光シートが調光部を構成し、前記調光部は、前記第２調光シートが前記不透明状態である場合に、前記調光部が設置される空間を、赤外光の強度が高い空間と、赤外光の強度が低い空間とに区切り、前記第２調光シートは、前記第１調光シートよりも赤外光の強度が高い側に位置するように前記透過窓に支持される。
【００１２】
上記構成によれば、赤外光の強度が高い空間から第２調光シートに入射した入射光が第２調光シートで反射されて赤外光の強度が高い空間に戻る。この際、第２調光シートが反射した反射光は、第１調光シートに入射することなく、赤外光の強度が高い空間に戻る。そのため、第１調光シートには、第２調光シートでの反射光に由来する熱が与えられない。それゆえに、第１調光シートの加熱が抑えられ、結果として、熱による第１調光シートの劣化が抑えられる。
【００１３】
上記課題を解決するための調光窓は、透過窓と、上記調光装置と、を備える。前記第１調光シートおよび前記第２調光シートが調光部を構成し、前記調光部は、前記第２調光シートが前記不透明状態である場合に、前記調光部が設置される空間を、赤外光の強度が高い空間と、赤外光の強度が低い空間とに区切り、前記第２調光シートは、前記第１調光シートよりも赤外光の強度が高い側に位置するように前記透過窓に支持される。前記第２調光シートが備える前記一対の透明電極層は、前記第２調光シートが不透明状態である場合に、前記エレクトロクロミック材料が析出する析出面を有する第１透明電極層と、第２透明電極層とから構成される。前記第１調光シートの厚さ方向において、前記第１透明電極層と前記第１調光シートとが、前記電解質層と前記第２透明電極層とを挟む。
【００１４】
上記構成によれば、赤外光の強度が高い空間から第２調光シートに入射した入射光が第２調光シートで反射されて赤外光の強度が高い空間に戻る。この際、第２調光シートで反射された反射光は、第２調光シートの電解質層および第２透明電極層を透過しない。そのため、電解質層および第２透明電極層には、反射光に由来する熱が与えられない。それゆえに、電解質層および第２透明電極層の加熱が抑えられ、結果として、熱による電解質層および第２透明電極層の劣化が抑えられる。
【００１５】
上記課題を解決するための調光システムは、電気機器と、上記調光装置と、を備える。前記調光装置は、前記第１調光シートに対する印加電圧の変更と、前記第２調光シートに対する印加電圧の変更と、を制御する制御部を備える。前記電気機器は、前記制御部との通信が可能に構成される。前記制御部は、前記電気機器における駆動状態の変更を受けて、前記第１調光シートに対する電圧の印加状態、および、前記第２調光シートに対する電圧の印加状態を変える。
【００１６】
上記構成によれば、第１調光シートに対する印加電圧、および、第２調光シートに対する印加電圧を、制御部との通信が可能な電気機器における駆動状態の変更に合わせて変えることができる。これにより、調光装置とは異なる機器である電気機器の駆動状態を、調光装置の駆動状態に反映させることができる。そして、電気機器の駆動状態と、調光装置の駆動状態との組み合わせによって実現される効果を得ることができる。
【発明の効果】
【００１７】
本発明によれば、調光装置、調光窓、および、調光システムにおいて、熱の透過率が変更可能である。
【図面の簡単な説明】
【００１８】
【図１】調光装置が備える液晶シートの構造およびエレクトロクロミックシートの構造を模式的に示す断面図。
【図２】調光装置の電気的な構成を模式的に示すブロック図。
【図３】（ａ）（ｂ）（ｃ）（ｄ）は調光装置の作用を説明するための作用図。
【図４】（ａ）（ｂ）は変更例における調光装置の作用を説明するための作用図。
【図５】第２変更例におけるエレクトロクロミックシートの構造を模式的に示す断面図。
【図６】（ａ）（ｂ）は第２変更例における調光装置の作用を説明するための作用図。
【図７】調光窓の一例を備える車両の構造を示す斜視図。
【図８】調光システムの一例である車両に適用される調光装置が備える制御部の電気的な構成を示すブロック図。
【発明を実施するための形態】
【００１９】
図１から図８を参照して、調光装置、調光窓、および、調光システムの一実施形態を説明する。以下では、調光装置の構成および作用を説明し、次いで、調光窓、および、調光システムの構成および作用を順に説明する。
【００２０】
［調光装置］
図１から図３を参照して、調光装置の一実施形態を説明する。
［調光装置の構成］
調光装置は、第１調光シートと第２調光シートとを備えている。第１調光シートは、赤外光を透過する調光シートである。第１調光シートは、可視光の散乱または吸収による不透明状態と、可視光の透過による透明状態とを、第１調光シートに対する印加電圧の変更で切り替える。第２調光シートは、赤外光および可視光を反射可能に構成された調光シートである。第２調光シートは、赤外光および可視光の反射による不透明状態と、可視光および赤外光の透過による透明状態とを、第２調光シートに対する印加電圧の変更で切り替える。第１調光シートと対向する位置から見て、第２調光シートが第１調光シートに重なっている。以下、図１および図２を参照して、第１調光シートが液晶シートであり、第２調光シートがエレクトロクロミックシートである場合の調光装置の構成を説明する。
【００２１】
図１が示すように、調光装置は、液晶シート１１とエレクトロクロミックシート（以下、ＥＣシート１２）とを備えている。液晶シート１１とＥＣシート１２とは、調光部１０Ａを構成している。
【００２２】
液晶シート１１は、液晶シート１１に入射する可視光および赤外光を透過させる透明状態と、可視光を散乱させる散乱状態とを有する。散乱状態は、上述した不透明状態の一例である。なお、可視光とは、例えば、３６０ｎｍ以上８３０ｎｍ以下の範囲に含まれる電磁波である。赤外光とは、例えば、８３０ｎｍよりも大きく１ｍｍ以下の範囲に含まれる電磁波である。
【００２３】
液晶シート１１は、液晶分子を含む液晶層２１と、液晶層２１の厚さ方向において液晶層２１を挟む一対の透明電極層２２とを備えている。液晶分子の配向変更で光の透過率を変える液晶シート１１は、液晶シート１１における光学的な状態変化の応答性を、ＥＣシート１２における光学的な状態変化の応答性よりも高めることができる。
【００２４】
液晶層２１は、例えば、ポリマーネットワーク型液晶によって構成される。ポリマーネットワーク型液晶は、複数のドメインを区画する三次元網目状を有したポリマーネットワークと、ドメインに充填された液晶組成物とを含んでいる。液晶組成物は、複数の液晶分子を含んでいる。
【００２５】
本実施形態では、一対の透明電極層２２間に第１駆動電圧が印加されていないときには、例えば、一対の透明電極層２２が接地電位と等電位、あるいは、浮遊電位であり、液晶分子が不規則に並んでいる。一方で、一対の透明電極層２２間に第１駆動電圧が印加されているときには、液晶分子が、液晶分子の長軸が透明電極層２２の法線方向にほぼ一致するように配向する。第１駆動電圧は、液晶分子の配向を変えるための信号であり、本実施形態では、液晶分子が不規則に並んでいる状態から規則的に並ぶ状態に変えるための信号である。そのため、液晶シート１１は、一対の透明電極層２２間に第１駆動電圧が印加されていないときに散乱状態であり、一対の透明電極層２２間に第１駆動電圧が印加されているときに透明状態である。
【００２６】
透明電極層２２は、透明導電性酸化物によって形成された薄膜でもよいし、導電性ポリマーによって形成された薄膜でもよい。透明導電性酸化物は、例えば、ＩＴＯ、ＳｎＯ２、および、ＺｎＯなどであってよい。導電性ポリマーは、例えばＰＥＤＯＴなどであってよい。
【００２７】
本実施形態において、液晶シート１１は、液晶シート１１の厚さ方向において、一対の透明電極層２２を挟む一対の透明基材２３をさらに備えている。透明基材２３は、例えば、ガラス基板、または、樹脂フィルムである。液晶シート１１が透明基材２３を備えることによって、液晶シート１１の機械的な強度が高まる。
【００２８】
ＥＣシート１２は、液晶シート１１と対向する位置から見て、液晶シート１１に重なっている。ＥＣシート１２は、電解質層３１と、一対の透明電極層３２とを備えている。電解質層３１は、金属を含むエレクトロクロミック材料（以下、ＥＣ材料３１Ｅ）を含んでいる。一対の透明電極層３２は、電解質層３１の厚さ方向において、電解質層３１を挟んでいる。
【００２９】
一対の透明電極層３２は、第１透明電極層３２ａと第２透明電極層３２ｂとから構成されている。第１透明電極層３２ａは、ＥＣ材料３１Ｅが析出する析出面３２ａ１を有している。ＥＣシート１２において、一対の透明電極層３２間への第２駆動電圧の印加の有無に応じて、ＥＣ材料３１Ｅが電解質層３１に分散した透明状態と、ＥＣ材料３１Ｅが析出面３２ａ１に析出して金属光沢を有する鏡面状態とが可逆的に変わる。透明状態は、可視光と赤外光との両方を透過する。鏡面状態は、可視光と赤外光との両方を反射する。鏡面状態での可視光の反射率、および、鏡面状態での赤外光の反射率は、液晶シート１１の散乱状態での可視光の反射率、および、液晶シート１１の散乱状態での赤外光の反射率よりも十分に高い。鏡面状態が、不透明状態の一例である。ＥＣシート１２が鏡面状態であることによって、ＥＣシート１２に入射した入射光を、ＥＣシート１２によって反射することができる。また、ＥＣシート１２が透明状態であり、かつ、液晶シート１１が透明状態であることによって、調光部１０Ａに入射した入射光に調光部１０Ａを透過させることができる。これにより、調光部１０Ａを透過する熱の透過率を変えることができる。
【００３０】
第２駆動電圧は、ＥＣ材料３１Ｅの状態を変えるための信号であり、本実施形態では、ＥＣ材料３１Ｅが分散している状態から析出する状態に変えるための信号である。ＥＣシート１２は、第２駆動電圧が印加されることによって、透明状態から鏡面状態に切り替わる。一対の透明電極層３２間に第２駆動電圧が印加されていないときには、例えば、一対の透明電極層３２が接地電位と等電位である。
【００３１】
なお、液晶シート１１が赤外光を反射する層、または、赤外光を吸収する層を備える場合には、照射光に含まれる赤外光が、液晶シート１１を透過することは抑えられる。しかしながら、この場合には、一定量の赤外光を反射すること、または、吸収することのみが可能であり、液晶シート１１を透過する赤外光の透過率、すなわち、熱の透過率を変えることはできない。
【００３２】
本実施形態では、ＥＣシート１２は、液晶シート１１と対向する位置から見て、液晶シート１１の全体に重なっている。ＥＣシート１２は、液晶シート１１と対向する位置から見て、液晶シート１１の一部のみに重なる大きさを有してもよいし、液晶シート１１の全体に重なり、かつ、液晶シート１１からはみ出す大きさを有してもよい。ＥＣシート１２の大きさに関わらず、液晶シート１１と対向する位置から見て、液晶シート１１においてＥＣシート１２と重なる領域において、熱の透過率を変えることが可能である。
【００３３】
電解質層３１は、金属イオンを含む電解質が溶解した高分子材料を含む。金属イオンが、ＥＣ材料３１Ｅの一例である。金属イオンは、例えば、銀イオンまたは銅イオンであってよい。金属イオンを含む電解質は、例えば、硝酸銀、酢酸銀、または、塩化銅などであってよい。高分子材料は、ポリビニルアルコール、または、ポリブチルアルコールなどであってよい。電解質層３１は、電解質を溶解させるための溶剤を含んでもよい。溶剤は、例えばジメチルスルホキシドであってよい。
【００３４】
一対の透明電極層３２間に第２駆動電圧が印加されていないときには、ＥＣ材料３１Ｅが電解質層３１内に分散している。一方で、一対の透明電極層３２間に第２駆動電圧が印加されることによって、ＥＣ材料３１Ｅが、第１透明電極層３２ａの析出面３２ａ１に堆積する。これにより、析出面３２ａ１にＥＣ材料３１Ｅに含まれる金属の薄膜が形成される。
【００３５】
透明電極層３２は、透明導電性酸化物によって形成された薄膜であってよい。透明導電性酸化物は、例えば、ＩＴＯ、ＳｎＯ２、または、ＺｎＯなどである。ＥＣシート１２による遮熱の効果を高める上では、透明電極層３２は、ＩＴＯによって形成された薄膜であることが好ましい。ＩＴＯは、赤外光を反射する特性を有する。そのため、透明電極層３２がＩＴＯによって形成された薄膜であれば、ＥＣシート１２が鏡面状態である場合に、電解質層３１と透明電極層３２とによって、ＥＣシート１２に入射した赤外光を反射することが可能である。これにより、電解質層３１のみによって赤外光を反射する場合よりも、ＥＣシート１２による遮熱の効果が高まる。
【００３６】
本実施形態では、ＥＣシート１２は、ＥＣシート１２の厚さ方向において、一対の透明電極層３２を挟む一対の透明基材３３をさらに備えている。透明基材３３は、例えば、ガラス基板、または、樹脂フィルムである。ＥＣシート１２が透明基材３３を備えることによって、ＥＣシート１２の機械的な強度が高まる。
【００３７】
なお、ＥＣシート１２は、液晶シート１１と同様、ＥＣシート１２に入射する可視光の透過率を変えることができる。しかしながら、ＥＣシート１２では、ＥＣシート１２における可視光の透過率を変えるために時間を要するため、プライバシーの保護を要する場合などにおいては、可視光における透過率の切り替えに十分な応答性が得られない。一方で、調光部１０Ａでは、ＥＣシート１２と、ＥＣシート１２よりも可視光の透過率を変更する際における応答性が高い液晶シート１１とが重なっている。そのため、液晶シート１１における可視光の透過率を変更することによって、調光部１０ＡがＥＣシート１２のみを備える場合よりも短い時間で、調光部１０Ａにおける可視光の透過率を変更することができる。
【００３８】
図２は、調光装置の電気的な構成を模式的に示している。図２では、図示の便宜上、液晶シート１１が備える一対の透明基材２３の図示と、ＥＣシート１２が備える一対の透明基材３３の図示とが省略されている。
【００３９】
図２が示すように、調光装置は、液晶シート１１およびＥＣシート１２に加えて、直流定電圧電源１３、液晶用駆動回路１４、液晶用制御部１５、ＥＣ用駆動回路１６、および、ＥＣ用制御部１７を備えている。
【００４０】
直流定電圧電源１３は、液晶シート１１とＥＣシート１２とに共通する直流定電圧を出力する。液晶シート１１は、液晶用駆動回路１４に接続され、液晶用駆動回路１４は、直流定電圧電源１３に接続されている。直流定電圧電源１３は、液晶用駆動回路１４に直流定電圧Ｖｃｃを印加する。ＥＣシート１２は、ＥＣ用駆動回路１６に接続され、ＥＣ用駆動回路１６は、直流定電圧電源１３に接続されている。直流定電圧電源１３は、ＥＣ用駆動回路１６に直流定電圧Ｖｃｃを印加する。
【００４１】
液晶用制御部１５は、第１駆動電圧を出力するための制御信号を液晶用駆動回路１４に入力する。液晶用駆動回路１４は、液晶用制御部１５が入力する制御信号に基づいて第１駆動電圧を生成して、第１駆動電圧を液晶シート１１に印加する。第１駆動電圧は、直流定電圧電源１３の出力電圧から生成される矩形波の交流電圧である。
【００４２】
ＥＣ用制御部１７は、第２駆動電圧を出力するための制御信号をＥＣ用駆動回路１６に入力する。ＥＣ用駆動回路１６は、ＥＣ用制御部１７が入力する制御信号に基づいて第２駆動電圧を生成して、第２駆動電圧をＥＣシート１２に印加する。第２駆動電圧は、直流定電圧電源１３の出力電圧から生成される直流電圧である。
【００４３】
調光装置において、直流定電圧電源１３、液晶用駆動回路１４、液晶用制御部１５、ＥＣ用駆動回路１６、および、ＥＣ用制御部１７が、調光部１０Ａに電力を供給する供給部１０Ｂを構成している。
【００４４】
調光装置では、調光装置を構成する部品点数の削減、調光装置の製造に要するコストの削減、および、調光装置のうちで調光部１０Ａ以外の部分、すなわち供給部１０Ｂが搭載される領域の縮小を目的として、調光装置を簡素化することが求められている。この点で、調光装置では、１つの電源を用いて液晶シート１１とＥＣシート１２との両方を駆動することができる。そのため、調光装置が、各シート１１，１２に対して各別の電源を備える場合に比べて、調光装置を簡素化することができる。
【００４５】
調光装置は、装置制御部１０Ｃをさらに備えている。装置制御部１０Ｃは、液晶用制御部１５、および、ＥＣ用制御部１７に電気的に接続されている。装置制御部１０Ｃは、制御信号ＣＯＮ５を出力する。制御信号ＣＯＮ５は、液晶用駆動回路１４に対する制御信号を液晶用制御部１５に生成させるための信号である。装置制御部１０Ｃは、制御信号ＣＯＮ７を出力する。制御信号ＣＯＮ７は、ＥＣ用駆動回路１６に対する制御信号をＥＣ用制御部１７に生成させるための信号である。
【００４６】
液晶用制御部１５、ＥＣ用制御部１７、および、装置制御部１０Ｃは、各種の処理を全てソフトウェアで処理するものに限らない。例えば、各制御部は、各種の処理のうちの少なくとも一部の処理を実行する専用のハードウェア（特定用途向け集積回路：ＡＳＩＣ）を備えてもよい。各制御部は、ＡＳＩＣなどの１つ以上の専用のハードウェア回路、コンピュータプログラム（ソフトウェア）に従って動作する１つ以上のプロセッサ（マイクロコンピュータ）、あるいは、これらの組み合わせ、を含む回路として構成される。なお、以下では、各制御部が、読み取り可能な可読媒体に駆動プログラムを記憶し、可読媒体が記憶する駆動プログラムを読み出して実行し、各種の処理を行う例を説明する。
【００４７】
［調光装置の作用］
図３を参照して、調光装置の作用を説明する。なお、図３（ａ）から図３（ｄ）では、図示の便宜上、液晶シート１１が備える一対の透明基材２３の図示と、ＥＣシート１２が備える一対の透明基材３３の図示とが省略されている。また、図３（ａ）から図３（ｄ）には、液晶シート１１に対してＥＣシート１２が室外側に位置する例が示されている。
調光装置は、以下の４つの状態を有する。
［第１状態］液晶シート１１が散乱状態、かつ、ＥＣシート１２が鏡面状態である。
［第２状態］液晶シート１１が透明状態、かつ、ＥＣシート１２が鏡面状態である。
［第３状態］液晶シート１１が散乱状態、かつ、ＥＣシート１２が透明状態である。
［第４状態］液晶シート１１が透明状態、かつ、ＥＣシート１２が透明状態である。
【００４８】
図３（ａ）が示すように、第１状態では、ＥＣシート１２が鏡面状態であるため、ＥＣシート１２に入射した入射光ＩＬは、ＥＣ材料３１Ｅの析出によって形成された金属薄膜によって反射される。これにより、ＥＣシート１２から反射光ＲＬが射出される。このとき、入射光ＩＬに含まれる可視光だけでなく、赤外光も金属薄膜によって反射されるため、入射光ＩＬに由来する熱もＥＣシート１２を透過しない。このように、ＥＣシート１２が鏡面状態である場合には、ＥＣシート１２は、室内側に対して遮光および遮熱を行う。
【００４９】
一方で、液晶シート１１は散乱状態であるため、室内側から液晶シート１１に入射した入射光ＩＬは、液晶シート１１において散乱される。これにより、室内側から液晶シート１１を観察した観察者は、白濁した液晶シート１１を視認する。白濁した液晶シート１１は、例えば建物が有する壁紙に似た外観を有する。
【００５０】
図３（ｂ）が示すように、第２状態では、ＥＣシート１２が鏡面状態であるため、第１状態と同様、ＥＣシート１２は、室内側に対して遮光および遮熱を行う。一方で、液晶シート１１は透明状態であるため、室内側から液晶シート１１に入射した入射光ＩＬは、液晶シート１１を透過して、ＥＣシート１２に入射する。ＥＣシート１２では、ＥＣ材料３１Ｅが金属薄膜を形成しているため、液晶シート１１を介してＥＣシート１２に入射した入射光ＩＬは、室外側からＥＣシート１２に入射した入射光ＩＬと同様、金属薄膜によって反射される。これにより、ＥＣシート１２から室内側に向けて反射光ＲＬが射出される。そのため、室内側から液晶シート１１を観察した観察者は、透明な液晶シート１１を介してＥＣシート１２によって形成される鏡面を視認する。
【００５１】
図３（ｃ）が示すように、第３状態では、ＥＣシート１２が透明状態であるため、ＥＣシート１２に入射した入射光ＩＬは、ＥＣシート１２を透過して液晶シート１１に入射する。液晶シート１１が散乱状態であるため、ＥＣシート１２を介して液晶シート１１に入射した入射光ＩＬは、液晶シート１１において散乱される。これにより、拡散された光の一部は、室内側に透過する。液晶シート１１は、入射光ＩＬに含まれる赤外光を透過するため、赤外光に由来する熱も液晶シート１１を透過する。なお、室内側から液晶シート１１に入射した入射光ＩＬも、液晶シート１１において散乱される。そのため、室内側から液晶シート１１を観察した観察者は、白濁した液晶シート１１を視認する。
【００５２】
図３（ｄ）が示すように、第４状態では、液晶シート１１が透明状態であり、かつ、ＥＣシート１２が透明状態である。そのため、室外側からＥＣシート１２に入射した入射光ＩＬは、ＥＣシート１２および液晶シート１１を介して室内に透過する。そのため、入射光ＩＬに含まれる赤外光が室内側に透過し、入射光ＩＬに由来する熱も室内側に透過する。また、室内側から液晶シート１１に入射した入射光ＩＬは、液晶シート１１およびＥＣシート１２を介して室外側に透過する。室内から液晶シート１１を観察した観察者は、透明な液晶シート１１と、透明なＥＣシート１２とを視認する。
【００５３】
このように、調光装置によれば、室外から室内への光の透過率と、熱の透過率とを個別に変更することが可能であることに加えて、調光装置が建材として用いられた場合には、例えば以下の効果を得ることも可能である。建物内において区画される空間は、空間内に滞在する対象者や、空間の用途などに応じて、対象者に、空間の大きさをその空間が実際に有する大きさよりも大きく感じさせたり、明るく感じさせたりすることが望まれている。
【００５４】
この点で、液晶シート１１およびＥＣシート１２が第２状態を満たす場合には、対象者は、ＥＣシート１２によって形成される鏡面を視認する。そのため、調光部１０Ａによれば、対象者に、空間の大きさをその空間が実際に有する大きさよりも大きいと感じさせることが可能である。これに対して、液晶シート１１およびＥＣシート１２が第１状態または第３状態を満たす場合には、対象者は、白濁した液晶シート１１を視認する。そのため、調光部１０Ａによれば、液晶シート１１による照明光の反射によって、対象者に、空間の明るさを鏡面状態である場合よりも明るく感じさせることが可能である。
【００５５】
以上、調光装置の一実施形態によれば、以下に記載の効果を得ることができる。
（１）調光部１０Ａが液晶シート１１とＥＣシート１２とを備えることによって、調光部１０Ａを透過する熱の透過率を変えることができる。
【００５６】
（２）液晶シート１１における光学的な状態変化の応答性が、ＥＣシート１２における光学的な状態変化の応答性よりも高い。そのため、調光部１０ＡがＥＣシート１２のみを備える場合よりも短い時間で、調光部１０Ａにおける可視光の透過率を変更することができる。
（３）調光装置が、各シート１１，１２に対して各別の駆動電源を備える場合に比べて、調光装置を簡素化することができる。
【００５７】
［調光装置の変更例］
なお、上記調光装置の一実施形態は、以下のように変更して実施することができる。
［透明電極層２２］
・調光装置は、第１透明電極層３２ａの一部のみに第１駆動電圧を印加することが可能であってもよい。以下、図４を参照して本変更例をより詳しく説明する。なお、図４では、図示の便宜上、透明基材３３の図示が省略されている。
【００５８】
図４は、第１透明電極層３２ａと対向する平面視におけるＥＣシート１２Ａの平面構造を示している。図４（ａ）は、第１鏡面状態におけるＥＣシート１２Ａの平面構造を示し、図４（ｂ）は、第２鏡面状態におけるＥＣシート１２Ａの平面構造を示している。なお、第１鏡面状態は、析出面３２ａ１の全体にＥＣ材料３１Ｅが析出した状態である。これに対して、第２鏡面状態は、析出面３２ａ１の一部のみにＥＣ材料３１Ｅが析出した状態である。図４では、析出面３２ａ１にＥＣ材料３１Ｅが析出していることが、ドットによって示されている。
【００５９】
図４（ａ）が示すように、第１透明電極層３２ａは、第１電極部３２ａＡと第２電極部３２ａＢとから構成されている。第１電極部３２ａＡは、第２電極部３２ａＢから電気的に絶縁されている。本変更例では、第１透明電極層３２ａと対向する平面視において、第２電極部３２ａＢが星形状を有し、第１電極部３２ａＡが第２電極部３２ａＢを取り囲む形状を有している。なお、第１電極部３２ａＡの形状、および、第２電極部３２ａＢの形状は、本変更例にて説明した形状に限らず、第１電極部３２ａＡと第２電極部３２ａＢとが第１透明電極層３２ａを構成し、かつ、互いに電気的に絶縁されていれば、任意の形状であってよい。
【００６０】
供給部１０Ｂは、第１電極部３２ａＡと第２透明電極層３２ｂとの間に第２駆動電圧を印加することと、第２電極部３２ａＢと第２透明電極層３２ｂとの間に第２駆動電圧を印加することとが個別に可能であるように構成されている。そのため、第１電極部３２ａＡと第２透明電極層３２ｂとの間に第２駆動電圧を印加することによって、析出面３２ａ１において第１電極部３２ａＡに属する領域にＥＣ材料３１Ｅを析出させることができる。また、第２電極部３２ａＢと第２透明電極層３２ｂとの間に第２駆動電圧を印加することによって、析出面３２ａ１において第２電極部３２ａＢに属する領域にＥＣ材料３１Ｅを析出させることができる。
【００６１】
そのため、図４（ａ）が示すように、第１電極部３２ａＡと第２透明電極層３２ｂとの間、および、第２電極部３２ａＢと第２透明電極層３２ｂとの間のそれぞれに第２駆動電圧を印加することによって、析出面３２ａ１の全体にＥＣ材料３１Ｅを析出させることができる。
【００６２】
また、図４（ｂ）が示すように、第１電極部３２ａＡと第２透明電極層３２ｂとの間には第２駆動電圧を印加しない一方で、第２電極部３２ａＢと第２透明電極層３２ｂとの間に第２駆動電圧を印加することができる。これにより、析出面３２ａ１において第２電極部３２ａＢに属する領域のみにＥＣ材料３１Ｅを析出させることができる。
【００６３】
なお、第１電極部３２ａＡと第２透明電極層３２ｂとの間には第２駆動電圧を印加する一方で、第２電極部３２ａＢと第２透明電極層３２ｂとの間には第２駆動電圧を印加しないこともできる。これにより、析出面３２ａ１において第１電極部３２ａＡに属する領域のみにＥＣ材料３１Ｅを析出させることができる。
【００６４】
このように、ＥＣシート１２Ａは、第１電極部３２ａＡの形状、および、第２電極部３２ａＢの形状に応じて、第１透明電極層３２ａと対向する平面視において特定の模様を表示することができる。調光部１０Ａが例えば建材として用いられる場合には、調光部１０Ａを用いて、調光部１０Ａが適用される対象の意匠性を高めることが望まれることがある。この点で、本変更例によれば、ＥＣシート１２Ａによって特定の模様を表示することが可能であるため、調光部１０Ａが適用された対象の意匠性を高めることが可能である。
【００６５】
上述した変更例から把握される技術的思想を追記する。
（付記１）
前記第２調光シートが備える前記一対の透明電極層は、第１透明電極層と第２透明電極層とから構成され、
前記第１透明電極層が、前記析出面を含む透明電極層であり、
前記第１透明電極層は、第１電極部と第２電極部とを含み、前記第１電極部は前記第２電極部から電気的に絶縁され、
前記第２調光シートは、
前記第１電極部と前記第２透明電極層との間、および、前記第２電極部と前記第２透明電極層との間のそれぞれに第２駆動電圧が印加されることによって、前記析出面において、前記第１電極部に属する領域と、前記第２電極部に属する領域との両方に前記エレクトロクロミック材料が析出した第１鏡面状態と、
前記第２電極部と前記第２透明電極層との間のみに第２駆動電圧が印加されることによって、前記析出面において、前記第２電極部に属する領域のみに前記エレクトロクロミック材料が析出した第２鏡面状態と、を有する、請求項４に記載の調光装置。
【００６６】
（４）上記構成によれば、第１透明電極層と対向する平面視において、第２調光シートが、第２電極部の形状に応じた模様を表示することができる。これにより、調光装置が適用された対象には、調光装置によって得られる意匠性を付与することができ、結果として、対象の意匠性を高めることができる。
【００６７】
［析出面］
・一対の透明電極層３２において、第２透明電極層３２ｂが析出面を有してもよい。この場合であっても、調光部１０Ａが、液晶シート１１とＥＣシート１２とから構成される以上は、上述した（１）に準じた効果を得ることはできる。
【００６８】
［ＥＣシート１２Ｂ］
・ＥＣシートは、上述した析出面とは異なる析出面を有してもよい。以下、図５を参照して本変更例をより詳しく説明する。なお、図５では、図示の便宜上、液晶シート１１の図示が省略されている。
【００６９】
図５が示すように、ＥＣシート１２Ｂは、電解質層３１と、一対の透明電極層４２と、一対の透明基材３３とを備えている。一対の透明電極層４２は、電解質層３１の厚さ方向において電解質層３１を挟んでいる。一対の透明電極層４２は、第１透明電極層４２ａと第２透明電極層４２ｂとから構成されている。第１透明電極層４２ａは、電解質層３１に接する面である第１析出面４２ａ１を有している。第２透明電極層４２ｂは、電解質層３１に接する面である第２析出面４２ｂ１を有している。
【００７０】
第１析出面４２ａ１は、上述したＥＣシート１２の第１透明電極層３２ａが有する析出面３２ａ１に対応している。すなわち、第１析出面４２ａ１にＥＣ材料３１Ｅが析出することによって、第１析出面４２ａ１には、金属光沢を有する金属薄膜が形成される。一方で、第２析出面４２ｂ１の表面粗さが第１析出面４２ａ１の表面粗さよりも大きいことによって、第２析出面４２ｂ１は、第１析出面４２ａ１とは異なる機能を有する。
【００７１】
第１透明電極層４２ａおよび第２透明電極層４２ｂがＩＴＯによって形成された薄膜である場合には、第１透明電極層４２ａおよび第２透明電極層４２ｂは、例えば以下の方法によって得ることが可能である。第１透明電極層４２ａは、例えば、透明基材２３に対して物理蒸着法を用いて形成される。物理蒸着法は、例えばスパッタ法である。第２透明電極層４２ｂは、第１透明電極層４２ａと同様、透明基材２３に対して物理蒸着法を用いてＩＴＯ膜が形成された後に、ＩＴＯの微粒子をＩＴＯ膜上に塗布することによって得ることが可能である。
【００７２】
第１析出面４２ａ１の表面粗さが小さいため、第１析出面４２ａ１にＥＣ材料３１Ｅが析出した場合には、ＥＣ材料３１Ｅが、第１析出面４２ａ１上に規則的に並ぶ。そのため、第１析出面４２ａ１上には、ＥＣ材料３１Ｅによって金属光沢を有する薄膜が形成される。これに対して、第２析出面４２ｂ１の表面粗さが大きいため、第２析出面４２ｂ１にＥＣ材料３１Ｅが析出した場合には、ＥＣ材料３１Ｅは、第２析出面４２ｂ１が有する凹凸に沿って不規則に並ぶ。これにより、ＥＣシート１２Ｂは、黒色を呈する。このように、ＥＣシート１２Ｂは、上述した鏡面状態と透明状態とに加えて、黒色状態を有することが可能である。
【００７３】
ＥＣシート１２Ｂにおいて、一対の透明電極層４２間に第２駆動電圧が印加されることによって、ＥＣ材料３１Ｅが、第１析出面４２ａ１に析出する。また、ＥＣシート１２Ｂにおいて、一対の透明電極層４２間に第２駆動電圧とは異なる第３駆動電圧が印加されることによって、ＥＣ材料３１Ｅが、第２析出面４２ｂ１に析出する。
【００７４】
そのため、ＥＣシート１２Ｂによれば、調光装置は、上述した第１状態から第４状態に加えて、以下の２つの状態を有することができる。
［第５状態］液晶シート１１が散乱状態、かつ、ＥＣシート１２が黒色状態である。
［第６状態］液晶シート１１が透明状態、かつ、ＥＣシート１２が黒色状態である。
【００７５】
図６（ａ）および図６（ｂ）を参照して、調光装置が各状態である場合に得られる作用を順に説明する。なお、図６（ａ）および図６（ｂ）では、図３と同様、図示の便宜上、液晶シート１１が備える一対の透明基材２３の図示と、ＥＣシート１２Ｂが備える一対の透明基材３３の図示とが省略されている。また、図６（ａ）および図６（ｂ）には、液晶シート１１に対してＥＣシート１２Ｂが室外側に位置する例が示されている。
【００７６】
図６（ａ）が示すように、第５状態では、ＥＣシート１２Ｂが黒色状態であるため、ＥＣシート１２Ｂに入射した入射光ＩＬは、ＥＣシート１２によって吸収される。このとき、入射光ＩＬに含まれる可視光だけでなく、赤外光もＥＣシート１２によって少なからず吸収される。そのため、ＥＣシート１２Ｂが黒色状態である場合には、入射光ＩＬに由来する熱の透過率は、ＥＣシート１２Ｂが透明状態である場合よりも低くなる。このように、ＥＣシート１２Ｂが黒色状態である場合には、ＥＣシート１２Ｂは、室内側に対して遮光および遮熱を行う。なお、ＥＣシート１２Ｂが黒色状態である場合の遮光率は、ＥＣシート１２Ｂが鏡面状態である場合の遮光率よりも低く、また、ＥＣシート１２Ｂが黒色状態である場合の遮熱率は、ＥＣシート１２Ｂが鏡面状態である場合の遮熱率よりも低い。
【００７７】
一方で、液晶シート１１は散乱状態であるため、室内側から液晶シート１１に入射した入射光ＩＬは、液晶シート１１において散乱される。これにより、室内側から液晶シート１１を観察した観察者は、液晶シート１１から射出される拡散光と、ＥＣシート１２Ｂが呈する黒色とが組み合わせられた外観を有する。そのため、観察者は、黒色を呈し、かつ、曇った外観を有する調光部１０Ａを視認することができる。
【００７８】
図６（ｂ）が示すように、第６状態では、ＥＣシート１２Ｂが黒色状態であるため、第５状態と同様、ＥＣシート１２Ｂは、室内側に対して遮光および遮熱を行う。一方で、液晶シート１１は透明状態であるため、室内側から液晶シート１１に入射した入射光ＩＬは、液晶シート１１を透過して、ＥＣシート１２Ｂに入射する。液晶シート１１を介してＥＣシート１２Ｂに入射した入射光ＩＬのほとんどは、室外側からＥＣシート１２Ｂに入射した入射光ＩＬと同様、薄膜によって吸収される。そのため、室内側から液晶シート１１を観察した観察者は、透明、かつ、黒色を呈する調光部１０Ａを視認する。
【００７９】
上述した変更例から把握される技術的思想を追記する。
（付記２）
赤外光を透過する第１調光シートであって、可視光の散乱または吸収による不透明状態と、可視光の透過による透明状態とを、前記第１調光シートに対する印加電圧の変更で切り替える前記第１調光シートと、
赤外光および可視光を反射可能に構成された第２調光シートであって、赤外光および可視光の反射による不透明状態と、可視光および赤外光の透過による透明状態とを、前記第２調光シートに対する印加電圧の変更で切り替え、かつ、前記透明状態と、可視光および赤外光の吸収による黒色状態とを、第３駆動電圧の印加の有無で切り替える前記第２調光シートと、を備え、
前記第１調光シートと対向する位置から見て、前記第２調光シートが前記第１調光シートに重なる、調光装置。
【００８０】
（５）上記構成によれば、第１調光シートにおける２つの状態と、第２調光シートにおける３つの状態との組み合わせによって、第１調光シートと第２調光シートとから構成される調光部は、互いに異なる６つの外観を示すことが可能である。
【００８１】
・ＥＣシート１２Ｂが備える第２透明電極層４２ｂは、ＥＣシート１２Ａが備える第１透明電極層３２ａと同様、第１電極部と第２電極部とを含んでもよい。この場合には、第１電極部が第２電極部から電気的に絶縁され、かつ、第１電極部と第１透明電極層４２ａとの間、および、第２電極部と第１透明電極層４２ａとの間のそれぞれに個別に第３駆動電圧を印加することが可能である。この場合にも、上述した（４）に準じた効果を得ることができる。
【００８２】
［液晶シート１１］
・液晶シート１１は、液晶層２１の厚さ方向において、液晶層２１を挟む一対の配向層を備えてもよい。一対の配向層は、液晶層２１の厚さ方向において、液晶層２１と一対の透明電極層３２との間に位置している。この場合には、液晶シート１１は、駆動電圧が印加されていないときに透明状態であり、駆動電圧が印加されているときに散乱状態である。
【００８３】
・液晶層２１は、ポリマーネットワーク型液晶に限らない。液晶層２１は、例えば、高分子分散型液晶であってもよい。また、液晶層２１は、液晶を用いた層に限らない。液晶層２１は、例えば、ＳＰＤ方式、および、サーモクロミック方式などの調光層でもよい。すなわち、第１調光シートは、第２調光シートよりも赤外光を透過する調光シートであって、可視光を吸収することによる不透明状態と、可視光を透過する透明状態とを有してもよい。
【００８４】
［透明電極層２２］
・液晶シート１１が備える一対の透明電極層２２においても、ＥＣシート１２Ａが備える一対の透明電極層３２と同様、一方の透明電極層２２である第１透明電極層が、第１電極部と第２電極部とを含んでもよい。この場合には、第１電極部が第２電極部から電気的に絶縁され、かつ、第１電極部と、他方の透明電極層２２である第２透明電極層との間、および、第２電極部と第２透明電極層との間のそれぞれに個別に第１駆動電圧を印加することが可能である。この場合にも、上述した（４）に準じた効果を得ることができる。
【００８５】
この際、第１電極部と第２電極部との境界で形成される図柄や模様の位置が、液晶シート１１とＥＣシート１２Ａとの間で相互に異なる場合、第１状態から第６状態までの各状態による視覚効果をより多く一度に発現させることが可能でもある。
【００８６】
［制御部］
・調光装置は、液晶用制御部１５、ＥＣ用制御部１７、および、装置制御部１０Ｃとして機能する１つの制御部を備えてもよい。この場合には、制御部は、液晶用駆動回路１４およびＥＣ用駆動回路１６の両方に接続されている。制御部は、液晶用駆動回路１４に対する制御信号を液晶用駆動回路１４に入力する。また、制御部は、ＥＣ用駆動回路１６に対する制御信号をＥＣ用駆動回路１６に入力する。なお、調光装置は、液晶用制御部１５、および、装置制御部１０Ｃとして機能する１つの制御部と、ＥＣ用制御部１７とを備えてもよい。また、調光装置は、ＥＣ用制御部１７、および、装置制御部１０Ｃとして機能する１つの制御部と、液晶用制御部１５とを備えてもよい。
【００８７】
［電源］
・供給部１０Ｂは、液晶シート１１に第１駆動電圧を印加するための液晶用直流電源と、ＥＣシート１２に第２駆動電圧を印加するためのＥＣ用直流電源とを個別に備えてもよい。
【００８８】
［調光窓］
図７を参照して、調光窓の一実施形態を説明する。以下では、調光窓の一例を備える車両の構成を説明する。
［車両の構成］
図７が示すように、車両５０の車体５１は、ボディ本体５１ａ、フロントドア５１ｂ、および、リヤドア５１ｃを備えている。ボディ本体５１ａが有する開口には、リヤガラス５２が嵌め込まれている。フロントドア５１ｂが有する開口にはフロントドアガラス５３が嵌め込まれている。リヤドア５１ｃが有する開口には、リヤドアガラス５４が嵌め込まれている。
【００８９】
リヤガラス５２、フロントドアガラス５３、および、リヤドアガラス５４が、調光部１０Ａを支持する透過窓の一例である。なお、リヤガラス５２、フロントドアガラス５３、および、リヤドアガラス５４のいずれか１つのみに調光部１０Ａが適用されてもよいし、これらから選択されるいずれか２つに調光部１０Ａが適用されてもよい。
【００９０】
調光部１０Ａは、各ガラス５２，５３，５４の表面に貼り付けられてもよい。また、調光部１０Ａは、各ガラス５２，５３，５４を構成する２つのガラス板の間に位置してもよい。調光部１０Ａが各ガラス５２，５３，５４の表面に貼り付けられる場合には、調光部１０Ａは、ガラス５２，５３，５４における車室内に面する表面に貼り付けられることが好ましい。調光部１０Ａが、ガラス５２，５３，５４における車室内に面する表面に貼り付けられることによって、調光部１０Ａの劣化を抑えることが可能である。なお、調光部１０Ａは、ガラス５２，５３，５４における車室外に面する表面に貼り付けられてもよい。
【００９１】
調光部１０Ａは、ＥＣシート１２が不透明状態である場合に、調光部１０Ａが設置される空間を、赤外光の強度が高い空間と、赤外光の強度が低い空間とに区切り、赤外光の強度が低い側に液晶シート１１が位置するようにガラス５２，５３，５４に支持される。車両５０において、車室外が赤外光の強度が高い空間であり、車室内が赤外光の強度が低い空間である。
【００９２】
これにより、車室外から調光装置に向けて赤外光が照射されるとしても、ＥＣシート１２が反射した反射光は、液晶シート１１を透過しない。そのため、液晶シート１１には、赤外光の反射光に由来する熱が、車室外からは与えられない。結果として、液晶シート１１の加熱が抑えられて、熱による液晶シート１１の劣化が抑えられる。
【００９３】
また、液晶シート１１の厚さ方向において、ＥＣシート１２の第１透明電極層３２ａと液晶シート１１とには、ＥＣシート１２の電解質層３１と第２透明電極層３２ｂとを挟む構成を採用できる。これにより、車室外から調光装置に向けて赤外光が照射されるとしても、ＥＣシート１２が反射した反射光は、ＥＣシート１２の電解質層３１と第２透明電極層３２ｂとを透過しない。そのため、電解質層３１と第２透明電極層３２ｂとには、反射光に由来する熱が与えられない。結果として、電解質層３１と第２透明電極層３２ｂとの加熱が抑えられて、熱による電解質層３１と第２透明電極層３２ｂとの劣化が抑えられる。
【００９４】
以上、調光窓の一実施形態によれば、以下に記載の効果を得ることができる。
（６）液晶シート１１には、反射光に由来する熱が与えられないため、液晶シート１１の加熱が抑えられ、結果として、熱による液晶シート１１の劣化が抑えられる。
【００９５】
（７）電解質層３１および第２透明電極層３２ｂには、反射光に由来する熱が与えられないため、電解質層３１および第２透明電極層３２ｂの加熱が抑えられ、結果として、熱による電解質層３１および第２透明電極層３２ｂの劣化が抑えられる。
【００９６】
［調光窓の変更例］
上述した調光窓の一実施形態は、以下のように変更して実施することができる。
［調光部１０Ａ］
・液晶シート１１は、ＥＣシート１２よりも車室外側に位置してもよい。この場合であっても、調光部１０Ａが、液晶シート１１とＥＣシート１２とから構成される以上は、上述した（１）に準じた効果を得ることはできる。
【００９７】
［透過窓］
・調光部１０Ａを支持する透過窓は、平面状を有してもよいし、曲面状を有してもよい。平面上の透光部は、例えば建物の窓ガラスなどである。曲面状の透光部は、例えば車両の窓ガラスなどである。
【００９８】
調光部１０Ａが曲面状の透過窓に適用される場合であって、かつ、透過窓が、透過窓の曲率中心が室内に位置する形状を有する場合には、ＥＣシート１２は、液晶シート１１よりも室外側に位置することが好ましい。これに対して、調光部１０Ａが曲面状の透過窓に適用される場合であって、かつ、透過窓が、透過窓の曲率中心が室外に位置する形状を有する場合には、ＥＣシート１２は、液晶シート１１よりも室内側に位置することが好ましい。この際、ＥＣシート１２は、液晶シート１１よりも剛性が低くてもよい。曲面状の透過窓に調光部１０Ａが適用される場合には、ＥＣシート１２の曲率半径が、液晶シート１１の曲率半径よりも大きくなるように、調光部１０Ａが透過窓に取り付けられることが好ましい。
【００９９】
［調光システム］
図８を参照して、調光システムの一実施形態を説明する。
調光システムは、電気機器と、調光装置とを備えている。調光装置は、液晶シート１１に対する印加電圧の変更と、ＥＣシート１２に対する印加電圧の変更と、を制御する装置制御部１０Ｃを備える。電気機器は、装置制御部１０Ｃとの通信が可能に構成されている。装置制御部１０Ｃは、電気機器における駆動状態の変更を受けて、液晶シート１１に対する電圧の印加状態（電圧レベル）、および、ＥＣシート１２に対する電圧の印加状態（電圧レベル）を変える。すなわち、装置制御部１０Ｃは、電子機器が駆動状態を変更することに基づいて、各電圧の印加状態を変更し、それによって、調光装置が設置される空間を温調する。
【０１００】
以下では、調光システムを、図７を参照して先に説明した車両として具体化した場合を説明する。また、以下では、調光システムが備える装置制御部１０Ｃの構成、および、装置制御部１０Ｃによって行われる処理を順に説明する。
【０１０１】
［装置制御部の構成］
図８を参照して、装置制御部１０Ｃの構成を説明する。以下では、装置制御部１０Ｃの電気的な構成のうち、調光部１０Ａに印加する電圧の制御に関わる構成のみを説明する。
【０１０２】
図８が示すように、装置制御部１０Ｃは、入力部６１、状態変更部６２、および、出力部６３を備えている。装置制御部１０Ｃは、装置制御部１０Ｃに入力される情報に基づいて、液晶シート１１に対する電圧の印加、および、ＥＣシート１２に対する電圧の印加を制御する。
【０１０３】
入力部６１は、車載ネットワークＮＷに接続されて、電装品の駆動状態を示す信号を車載ＥＣＵ５５（Electronic Control Unit）から入力する。車載ＥＣＵ５５、および、電装品は、車両５０が搭載する電気機器の一例である。電装品は、ドアロックモータ、コンビネーションメータ、エアコン、および、車両駆動用モータである。各電装品の駆動は、別々の車載ＥＣＵによって制御されてもよいし、単一の車載ＥＣＵによって制御されてもよい。
【０１０４】
電装品の駆動開始は、停車中の利用開始を示唆する情報である。電装品の駆動停止は、停車中の利用終了を示唆する情報である。電装品の駆動開始は、車両５０の走行開始を示唆する情報である。電装品の駆動停止は、車両５０の走行終了を示唆する情報である。電装品の駆動開始は、停車中の温調開始を示唆する情報である。電装品の駆動停止は、停車中の温調終了を示唆する情報である。
【０１０５】
例えば、ドアロックモータによる解錠開始、かつ、コンビネーションメータの点灯開始、かつ、車両用駆動モータの停止は、停車中の車両５０に乗員が位置することを示唆する情報であって、停車中の利用開始を示唆する情報である。コンビネーションメータの点灯停止、かつ、ドアロックモータによる施錠開始は、停車中の利用終了を示唆する情報である。
【０１０６】
例えば、ドアロックモータの解錠開始は、車両５０の利用開始が高まることを示唆する情報である。コンビネーションメータの点灯開始は、車両５０の走行開始を示唆する情報である。また、コンビネーションメータの点灯停止は、車両５０の走行終了を示す情報である。
【０１０７】
例えば、車両駆動用モータの駆動停止、かつ、エアコンの駆動開始は、停車中の温調開始を示唆する情報である。また、車両駆動用モータの駆動停止、かつ、コンビネーションメータの点灯、かつ、エアコンの駆動停止は、停車中の温調終了を示唆する情報である。
【０１０８】
すなわち、入力部６１に入力される信号は、１以上の電装品の駆動状態を示す信号であって、車両５０の利用開始、走行開始、温調開始、走行終了、温調終了、および、利用終了を示唆する信号である。
【０１０９】
状態変更部６２は、入力部６１に入力される信号に基づいて、各電装品の駆動状態を監視する。状態変更部６２は、１以上の電装品の駆動状態と、調光部１０Ａの駆動状態とを対応付ける。状態変更部６２が対応付ける調光部１０Ａの駆動状態は、現在の車両５０における利用状態、現在の車両５０における走行状態、現在の車両５０における温調状態に適したものである。１以上の電装品の駆動状態と、調光部１０Ａの駆動状態との対応付けは、予め設定されるものであり、利用者によって適宜変更可能に構成されてもよい。
【０１１０】
例えば、状態変更部６２は、車室内に対する遮熱性を高める、あるいは、車室内に対する保温性を高めることが求められる利用状態や温調状態に、調光部１０Ａの［第１状態］を対応付ける。例えば、状態変更部６２は、車室内からの放熱性を高める、あるいは、車室内に対する入熱性を高めることが求められる利用状態や温調状態に、調光部１０Ａの［第４状態］を対応付ける。
【０１１１】
状態変更部６２は、電装品の駆動状態の変更に基づいて、変更後における電装品の駆動状態に対応付けられた調光部１０Ａの駆動状態を抽出し、調光部１０Ａの駆動状態を、抽出された駆動状態に変える。
【０１１２】
例えば、コンビネーションメータの点灯停止、および、ドアロックモータによる施錠開始が行われた場合、状態変更部６２は、各電装品の駆動状態が変更したことに基づいて、ＥＣシート１２を鏡面状態にするための制御信号を出力する。また、状態変更部６２は、各電装品の駆動状態が変更したことに基づいて、液晶シート１１を不透明状態にするための制御信号を出力する。
【０１１３】
例えば、ドアロックモータによる解錠開始、および、コンビネーションメータの点灯開始が行われた場合、状態変更部６２は、各電装品の駆動状態が変更したことに基づいて、ＥＣシート１２を透明状態にするための制御信号を出力する。また、状態変更部６２は、各電装品の駆動状態が変更したことに基づいて、液晶シート１１を透明状態にするための制御信号を出力する。
【０１１４】
例えば、コンビネーションメータの点灯停止、および、ドアロックモータによる施錠開始が行われた場合、状態変更部６２は、各電装品の駆動状態が変更したことに基づいて、ＥＣシート１２を鏡面状態にするための制御信号と、液晶シート１１を不透明状態にするための制御信号を出力する。
【０１１５】
上述した状態変更部６２の処理によれば、車両５０が停車している間中、ＥＣシート１２は、鏡面状態に維持される。それゆえに、車室内の熱が車室外に透過することが抑えられる。結果として、ＥＣシート１２が透明状態である場合に比べて、車両５０が停止した後において、車室内を保温することができる。こうした効果は、外気温が低い場合や、日照時間が短い場合に特に顕著である。
【０１１６】
一方で、車両５０が停車している間中、ＥＣシート１２が鏡面状態に維持されることによって、車室外の熱が車室内に透過することも抑えられる。結果として、ＥＣシート１２が透明状態である場合に比べて、車両５０が停止した後において、車室内の温度が過度に上昇することが抑えられる。こうした効果は、外気温が高い場合や、日照時間が長い場合に特に顕著である。なお、車両５０が停車している間中、液晶シート１１が不透明状態を維持するため、液晶シート１１の駆動に要する消費電力が低減される。
【０１１７】
他方、車両５０が始動されると同時に、外光が、調光部１０Ａを通して車室内に取り込まれる。これにより、外光に由来する熱も車室内に取り込まれる。結果として、ＥＣシート１２が鏡面状態である場合に比べて、車両５０が始動した後において、車室内の温度が高まりやすくなる。こうした効果は、外気温が低い場合や、日照時間が短い場合に特に顕著である。
【０１１８】
車両５０に搭載される空調部には、車両５０の燃費を高める上でより省エネルギーであることが望まれている。この点で、上述した調光装置によれば、車室内を保温することが可能であるため、車室内の温度を高めるために消費されるエネルギーを減らすことができる。また、車室内の温度が過剰に上昇することが抑えられるため、車室内の温度を低くするために消費されるエネルギーを減らすことができる。また、車両５０が始動されて以降は、外光による熱を取り込むため、車室内の温度を高めるために生じされるエネルギーを減らすことができる。
【０１１９】
以上、調光システムの一実施形態によれば、以下に記載の効果を得ることができる。
（８）液晶シート１１の駆動状態、および、ＥＣシート１２の駆動状態を、電装品の駆動状態の変更に合わせることができる。これにより、調光装置とは異なる機器である電装品の駆動状態を、調光装置の駆動状態に反映させることによって、電装品の駆動状態と、調光装置の駆動状態との組み合わせによって実現される効果を得ることができる。
【０１２０】
［調光システムの変更例］
上述した調光システムの一実施形態は、以下のように変更して実施することができる。
［装置制御部１０Ｃ］
・装置制御部１０Ｃは、液晶シート１１とＥＣシート１２のいずれか一方の駆動状態と、１以上の電装品の駆動状態とを対応付ける構成であってもよい。例えば、装置制御部１０Ｃは、ＥＣシート１２の駆動状態と、１以上の電装品の駆動状態とを対応付けて、電装品の駆動状態の変更を受けてＥＣシート１２の駆動状態を変更する構成であってもよい。あるいは、装置制御部１０Ｃは、液晶シート１１の駆動状態と、１以上の電装品の駆動状態とを対応付けて、電装品の駆動状態の変更を受けて液晶シート１１の駆動状態を変更する構成であってもよい。
【０１２１】
［適用対象］
・調光システムは、上述した車両に限らない。調光システムは、例えば建物でもよい。この場合には、調光装置が備える調光部１０Ａは、建物が備える窓のガラスや、ドアのガラスなどに取り付けられる。調光部１０Ａは、各ガラスにおいて、室内に面する表面に貼り付けられてもよいし、室外に面する表面に貼り付けられてもよい。また、調光部１０Ａは、各ガラスにおいて、２つのガラス板の間に配置されてもよい。
【０１２２】
調光システムとしての建物は、例えばオフィスビルである。この場合には、装置制御部１０Ｃに接続される電気機器は、照明機器、空調機器、および、施錠機器である。照明機器、空調機器、および、施錠機器の各々は、オン状態であることを示すオン信号、および、オフ状態であることを示すオフ信号を出力する。入力部６１は、各部が出力したオン信号、および、オフ信号を入力する。
【０１２３】
状態変更部６２は、照明部のオフ信号、空調部のオフ信号、および、施錠部のオン信号を入力部６１が入力したか否かを監視する。なお、照明部がオフであり、空調部がオフであり、かつ、施錠部がオンであれば、オフィスビルでの営業が終了されたと見なすことが可能である。状態変更部６２は、照明部のオフ信号、空調部のオフ信号、および、施錠部のオン信号を入力部６１が入力したとき、ＥＣシート１２を鏡面状態にするための制御信号を出力する。
【０１２４】
これにより、オフィスビルでの営業が終了した後において、ＥＣシート１２が鏡面状態に維持され、室内から室外への熱の透過と、室外から室内への熱の透過とが抑えられる。これにより、ＥＣシート１２が鏡面状態に維持されている間は、オフィスビル内の温度が変わりにくくなる。そのため、オフィスビル内の温度が過剰に高くなったり、過剰に低くなったりすることが抑えられる。それゆえに、空調部が消費するエネルギーを減らすことができる。
【０１２５】
一方で、状態変更部６２は、照明部のオン信号、および、空調部のオン信号の少なくとも一方と、施錠部のオフ信号とを入力部６１が入力したか否かを監視する。なお、照明部および空調部の少なくとも一方がオンであり、かつ、施錠部がオフであれば、オフィスビルでの営業が開始されたと見なすことが可能である。状態変更部６２は、照明部のオン信号、および、空調部のオン信号の少なくとも一方、および、施錠部のオフ信号を入力部６１が入力したとき、ＥＣシート１２を透明状態にするための制御信号を出力する。
【０１２６】
これにより、オフィスビルの営業が開始されたときに、ＥＣシート１２が鏡面状態であることが解除される。そのため、外光が室内に取り込まれることによって、室内が明るくなる。また、外光に由来する熱が、室内に取り込まれる。
【符号の説明】
【０１２７】
１０Ａ…調光部、１０Ｂ…供給部、１０Ｃ…装置制御部、１１…液晶シート、１２，１２Ａ，１２Ｂ…ＥＣシート、１３…直流定電圧電源、１４…液晶用駆動回路、１５…液晶用制御部、１６…ＥＣ用駆動回路、１７…ＥＣ用制御部、２１…液晶層、２２，３２，４２…透明電極層、２３，３３…透明基材、３１…電解質層、３１Ｅ…ＥＣ材料、３２ａ，４２ａ…第１透明電極層、３２ａ１…析出面、３２ａＡ…第１電極部、３２ａＢ…第２電極部、３２ｂ，４２ｂ…第２透明電極層、４２ａ１…第１析出面、４２ｂ１…第２析出面、５０…車両、５１…車体、５１ａ…ボディ本体、５１ｂ…フロントドア、５１ｃ…リヤドア、５２…リヤガラス、５３…フロントドアガラス、５４…リヤドアガラス、５５…車載ＥＣＵ、６１…入力部、６２…状態変更部、６３…出力部、ＩＬ…入射光、ＲＬ…反射光。
【図１】
2020060608.tif 000003
【図２】
2020060608.tif 000004
【図３】
2020060608.tif 000005
【図４】
2020060608.tif 000006
【図５】
2020060608.tif 000007
【図６】
2020060608.tif 000008
【図７】
2020060608.tif 000009
【図８】
2020060608.tif 000010